(57)【要約】【課題】再帰性反射スクリーンの画面の任意の位置において画像（反射光）の拡散範囲を制御することが可能な映像表示システムを提供する。【解決手段】本発明の映像表示システム１０は、再帰性反射スクリーン１１と、再帰性反射スクリーン１１に画像を投影するプロジェクタ１２，１３，１４と、を備え、プロジェクタ１２，１３，１４は、画像の観察者２１，２２，２３の目の位置に対して、上下方向のいずれかに離隔した位置に設けられ、再帰性反射スクリーン１１の投影面１１ａに、上下方向に光を拡散する拡散制御体１６が積層されたことを特徴とする。【選択図】図１
2014139594.tif 000002
【特許請求の範囲】
【請求項１】
再帰性反射スクリーンと、該再帰性反射スクリーンに画像を投影する複数のプロジェクタと、を備え、
前記プロジェクタは、前記画像の観察者の目の位置に対して、上下方向のいずれかに離隔した位置に設けられ、
前記再帰性反射スクリーンの投影面に、上下方向に光を拡散する拡散制御体が積層されたことを特徴とする映像表示システム。
【請求項２】
前記拡散制御体は、部分的に屈折率の異なる領域を形成可能であることを特徴とする請求項１に記載の映像表示システム。
【請求項３】
前記拡散制御体は、液体レンズであることを特徴とする請求項１または２に記載の映像表示システム。
【請求項４】
前記拡散制御体は、液晶レンズであることを特徴とする請求項１または２に記載の映像表示システム。
【請求項５】
前記拡散制御体は、高分子分散型液晶素子であることを特徴とする請求項１または２に記載の映像表示システム。
【請求項６】
前記再帰性反射スクリーンは、反射面を３面有することを特徴とする請求項１〜５のいずれか１項に記載の映像表示システム。
【請求項７】
前記再帰性反射スクリーンは、合わせ鏡群を有することを特徴とする請求項１〜５のいずれか１項に記載の映像表示システム。
【発明の詳細な説明】
【技術分野】
【０００１】
本発明は、映像表示システムに関する。
【背景技術】
【０００２】
プロジェクタなどの画像投影手段と指向性を有する指向性反射スクリーンを組み合わせた画像表示装置では、指向性反射スクリーンに照射された画像信号は、その指向性反射スクリーンで反射されると、水平方向には画像投影手段の位置に集光する。このような反射特性を活かして、２つのプロジェクタを観察者の右眼および左眼の直上または直下に配置するとともに、両眼視差の原理に基づく立体画像信号となる一対の映像信号を、指向性反射スクリーンに照射することによって、特殊な眼鏡を着用することなく、立体映像を鑑賞することができる。
【０００３】
指向性反射スクリーンの水平方向の鑑賞範囲を拡張した画像表示装置としては、指向性反射スクリーンと、指向性反射スクリーンに画像を投影する画像投影手段とを備え、指向性反射スクリーンは合わせ鏡群と異方性拡散体とを有し、合わせ鏡群と異方性拡散体とは画像投影手段からの入射光が異方性拡散体を透過し、合わせ鏡群で反射された後に異方性拡散体を透過して射出するように配置されており、異方性拡散体は、合わせ鏡群の稜線に平行な方向の幅と垂直な方向の幅が異なる微小レンズ群を備えたものが知られている（例えば、特許文献１参照）。
【先行技術文献】
【特許文献】
【０００４】
【特許文献１】特許第４０４１３９７号公報
【発明の概要】
【発明が解決しようとする課題】
【０００５】
上述のような画像表示装置は、指向性反射スクリーンの画面の全面で画像（反射光）の拡散範囲を拡げることができるが、指向性反射スクリーンの画面の任意の位置において画像の拡散範囲を制御することはできなかった。
【０００６】
本発明は、上記事情に鑑みてなされたものであって、再帰性反射スクリーンの画面の任意の位置において画像の拡散範囲を制御することが可能な映像表示システムを提供することを目的とする。
【課題を解決するための手段】
【０００７】
本発明の映像表示システムは、再帰性反射スクリーンと、該再帰性反射スクリーンに画像を投影する複数のプロジェクタと、を備え、前記プロジェクタは、前記画像の観察者の目の位置に対して、上下方向のいずれかに離隔した位置に設けられ、前記再帰性反射スクリーンの投影面に、上下方向に光を拡散する拡散制御体が積層されたことを特徴とする。
【０００８】
前記拡散制御体は、部分的に屈折率の異なる領域を形成可能であることが好ましい。
【０００９】
前記拡散制御体は、液体レンズであることが好ましい。
【００１０】
前記拡散制御体は、液晶レンズであることが好ましい。
【００１１】
前記拡散制御体は、高分子分散型液晶素子であることが好ましい。
【００１２】
前記再帰性反射スクリーンは、反射面を３面有することが好ましい。
【００１３】
前記再帰性反射スクリーンは、合わせ鏡群を有することが好ましい。
【発明の効果】
【００１４】
本発明によれば、再帰性反射スクリーンの画面の任意の位置において画像の拡散範囲を制御することができる。
【図面の簡単な説明】
【００１５】
【図１】映像表示システムの一実施形態を示す概略構成図であり、（ａ）は平面図、（ｂ）は側面図である。
【図２】再帰性反射スクリーンの一例を示す概略斜視図である。
【図３】再帰性反射スクリーンの他の例を示す概略斜視図である。
【図４】液体レンズの一例を示す概略断面図である。
【図５】液晶レンズの一例を示す概略断面図である。
【図６】液晶レンズの他の例を示す概略断面図である。
【図７】液晶レンズの他の例を示す概略断面図である。
【図８】液晶レンズの他の例を示す概略断面図である。
【図９】高分子分散型液晶素子の一例を示す概略断面図である。
【図１０】高分子分散型液晶素子の他の例を示す概略断面図である。
【図１１】拡散制御体に形成された拡散領域と非拡散領域の一例を示す概略図である。
【図１２】拡散制御体に形成された拡散領域と非拡散領域の他の例を示す概略図である。
【発明を実施するための形態】
【００１６】
（１）第１実施形態
図１は、映像表示システムの一実施形態を示す概略構成図であり、（ａ）は平面図、（ｂ）は側面図である。
本実施形態の映像表示システム１０は、再帰性反射スクリーン１１と、再帰性反射スクリーン１１に画像を投影する３つのプロジェクタ１２，１３，１４と、プロジェクタ１２に対応するハーフミラー１５と、再帰性反射スクリーン１１の投影面１１ａに積層された拡散制御体１６とから概略構成されている。
【００１７】
プロジェクタ１２は、再帰性反射スクリーン１１に対して正面に設置され、再帰性反射スクリーン１１の正面に居て、再帰性反射スクリーン１１に投影される画像を見る観察者２１の目の位置に対して下方向に離隔した位置、すなわち、観察者２１の足下近傍に設置されている。また、プロジェクタ１２は、その投影部１２ａを鉛直方向上向きにして設置されている。
【００１８】
ハーフミラー１５は、観察者２１の近傍、かつ、正面に設置されている。また、ハーフミラー１５は、その一方の面（反射面）１５ａが再帰性反射スクリーン１１側に傾くように設置されている。
これにより、プロジェクタ１２から出射された画像が、ハーフミラー１５の一方の面１５ａで反射され、その反射光（画像）が再帰性反射スクリーン１１の投影面１１ａに投影される。すると、再帰性反射スクリーン１１に投影された画像（光）は、再帰性反射スクリーン１１で反射され、その反射光が拡散制御体１６で投影面１１ａの縦方向（上下方向）に拡散され、観察者２１の目の位置に集光される。
【００１９】
プロジェクタ１３は、再帰性反射スクリーン１１に対して斜めに設置され、再帰性反射スクリーン１１に対して斜めの位置に居て、再帰性反射スクリーン１１に投影される画像を見る観察者２２の目の位置に対して上方向に離隔した位置、すなわち、観察者２２の頭上に設置されている。
なお、プロジェクタ１３が、再帰性反射スクリーン１１に対して斜めに設置されているとは、プロジェクタ１３が、プロジェクタ１２と再帰性反射スクリーン１１の投影面１１ａを結ぶ直線から横（図１（ａ）において、プロジェクタ１２に対して右側）にずれた位置に設置されていることを言う。
プロジェクタ１３から出射された画像は、再帰性反射スクリーン１１の投影面１１ａに投影される。すると、再帰性反射スクリーン１１に投影された画像（光）は、再帰性反射スクリーン１１で反射され、その反射光が拡散制御体１６で投影面１１ａの縦方向（上下方向）に拡散され、観察者２２の目の位置に集光される。
【００２０】
プロジェクタ１４は、再帰性反射スクリーン１１に対して斜めに設置され、再帰性反射スクリーン１１に対して斜めの位置に居て、再帰性反射スクリーン１１に投影される画像を見る観察者２３の目の位置に対して上方向に離隔した位置、すなわち、観察者２３の頭上に設置されている。
なお、プロジェクタ１４が、再帰性反射スクリーン１１に対して斜めに設置されているとは、プロジェクタ１４が、プロジェクタ１２と再帰性反射スクリーン１１の投影面１１ａを結ぶ直線から横（図１（ａ）において、プロジェクタ１２に対して左側）にずれた位置に設置されていることを言う。
プロジェクタ１３から出射された画像は、再帰性反射スクリーン１１の投影面１１ａに投影される。すると、再帰性反射スクリーン１１に投影された画像（光）は、再帰性反射スクリーン１１で反射され、その反射光が拡散制御体１６で投影面１１ａの縦方向（上下方向）に拡散され、観察者２３の目の位置に集光される。
【００２１】
再帰性反射スクリーン１１としては、合わせ鏡群を有するものや、反射面を３面有するものが挙げられる。
再帰性反射スクリーン１１として、合わせ鏡群を有するものは、例えば、図２に示すように、投影面１１ａが、互いに平行な稜線１１ｂと谷線１１ｃで挟まれた平面（反射面）が連続する凹凸面をなしている。すなわち、再帰性反射スクリーン１１の投影面１１ａは、前記の平面（反射面）の１つが鏡をなし、その鏡が稜線１１ｂと谷線１１ｃを境に連続して組み合わされた形状をなしている。
また、合わせ鏡の挟角、すなわち、１つの谷を形成する隣接した２つの平面（反射面）の間の角度は特に限定されないが、９０°近傍であることが好ましい。
【００２２】
再帰性反射スクリーン１１として、反射面を３面有するものとしては、例えば、図３に示すように、垂直の直角三角形の鏡面からなる３面体コーナーキューブ３０を有するものが挙げられる。
３面体コーナーキューブ３０に光が入射すると、入射光４１は３つの反射面３０ａ、３０ｂ、３０ｃで順に反射され、光源方向に戻る。図２に示したような合わせ鏡群では、稜線１１ｂが投影面１１ａの縦方向（上下方向）に延びるように設置された場合、上下方向については再帰性が発現しない。これに対して、３面体コーナーキューブ３０では、入射光４１のＸＹＺ全ての方位が反転するため、上下、左右いずれの方位に対しても再帰性を発現するため、より効率が高い。
【００２３】
拡散制御体１６としては、光の拡散する方向（拡散性）を制御することができる構造であれば特に限定されないが、例えば、図４に示すような液体レンズ、図５〜８に示すような液晶レンズ、図９および１０に示すような高分子分散型液晶素子などが挙げられる。
【００２４】
図４に示す液体レンズ５０は、セル５１と、その内部に設けられた電極５２と、電極５２によってセル５１の中央部に形成された凹部５３内に封入されたオイル５４および水５５とから概略構成されている。
液体レンズ５０は、電極５２への印加電圧に応じて、オイル５４と水５５の界面の形状を変化させることにより光の屈折方向を変化させ、透過後の光の進行方向を変更する機能を有している。
液体レンズ５０は、再帰性反射スクリーン１１の投影面１１ａに積層されている。拡散制御体１６によって拡散された光は、水５５側から液体レンズ５０を透過する。
液体レンズ５０は、光の屈折方向を変化させることにより、拡散制御体１６によって拡散される光の拡散性を制御する。
【００２５】
図５に示す液晶レンズ６０は、セル６１と、その内部に対向するように設けられた一対の電極６２，６３と、セル６１の内部に設けられたプリズム構造体６４と、一対の電極６２，６３の間に封入された液晶６５とから概略構成されている。プリズム構造体６４の電極６２と対向する面に、電極６３が設けられている。
液晶レンズ６０は、一対の電極６２，６３への印加電圧に応じて、図６（ａ）、（ｂ）に示すように、液晶６５の配向状態を変化させ、液晶６５の屈折率を変化させることにより、光がプリズム構造体６４を透過する際にその屈折方向を変化させ、透過後の光の進行方向を変更する機能を有している。
液晶レンズ６０は、再帰性反射スクリーン１１の投影面１１ａに積層されている。拡散制御体１６によって拡散された光は、電極６２側から液晶レンズ６０を透過する。
液晶レンズ６０は、光の屈折方向を変化させることにより、拡散制御体１６によって拡散される光の拡散性を制御する。
【００２６】
図６に示す液晶レンズ７０は、所定の間隔を置いて対向する一対の基板７１，７２を有するセル７３と、基板７１，７２の対向する面にそれぞれ設けられた一対の電極７４，７５と、一対の電極７４，７５の間に封入された液晶７６とから概略構成されている。
電極７５は、同心円状に配置された複数の円環状の電極子７５ａ，７５ｂ，７５ｃ，７５ｄ，７５ｅから構成されている。
液晶レンズ７０は、一方の電極７４に一定の電圧を印加し、他方の電極７５の電極子７５ａ，７５ｂ，７５ｃ，７５ｄ，７５ｅに異なる電圧を印加すると、液晶７６中に電極７５の半径方向に沿う位相プロファイルが生じ、レンズ作用が生じる機能を有している。
液晶レンズ７０は、再帰性反射スクリーン１１の投影面１１ａに積層されている。拡散制御体１６によって拡散された光は、電極７５側から液晶レンズ７０を透過する。
液晶レンズ７０は、光の屈折方向を変化させることにより、拡散制御体１６によって拡散される光の拡散性を制御する。
【００２７】
図７に示す液晶レンズ８０は、所定の間隔を置いて対向する一対の電極付基板８１，８２を有するセル８３と、セル８３内において、一方の電極付基板８１の他方の電極付基板８２と対向する面に設けられたフレネルレンズ８４と、一対の電極付基板８１，８２の間に封入された液晶８５とから概略構成されている。
液晶レンズ８０は、一対の電極付基板８１，８２への印加電圧に応じて、液晶８５の配向状態を変化させ、液晶８５の屈折率を変化させることにより、光がフレネルレンズ８４を透過する際にその屈折方向を変化させ、透過後の光の進行方向を変更する機能を有している。
液晶レンズ８０は、再帰性反射スクリーン１１の投影面１１ａに積層されている。拡散制御体１６によって拡散された光は、電極付基板８１側から液晶レンズ８０を透過する。
液晶レンズ８０は、光の屈折方向を変化させることにより、拡散制御体１６によって拡散される光の拡散性を制御する。
【００２８】
図８に示す液晶レンズ９０は、所定の間隔を置いて対向する電極付基板９１および基板９２を有するセル９３と、セル９３内において、基板９２の電極付基板９１と対向する面に設けられた断面形状が略半円形状のレンズ９４と、レンズ９４の電極付基板９１と対向する面に設けられた電極膜９５と、電極付基板９１と基板９２の間に封入された液晶９６とから概略構成されている。
液晶レンズ９０は、電極付基板９１と電極膜９５への印加電圧に応じて、液晶９６の配向状態を変化させ、液晶９６の屈折率を変化させることにより、光がレンズ９４を透過する際にその屈折方向を変化させ、透過後の光の進行方向を変更する機能を有している。
液晶レンズ９０は、再帰性反射スクリーン１１の投影面１１ａに積層されている。拡散制御体１６によって拡散された光は、基板９２側から液晶レンズ９０を透過する。
液晶レンズ９０は、光の屈折方向を変化させることにより、拡散制御体１６によって拡散される光の拡散性を制御する。
【００２９】
図９に示す高分子分散型液晶素子１００は、液晶分子１０１とポリマー材料（高分子材料）１０２がネットワーク状に入り組んだ複合膜である。高分子分散型液晶素子１００は、電界印加状態で非散乱状態、電圧無印加状態で散乱状態に切り替え可能な光学素子である。すなわち、液晶分子１０１は電界応答するので、散乱状態と非散乱状態を切り替えることが可能であり、高分子分散型液晶素子１００は、屈折率が揃った場合（電界印加状態）は非散乱状態、屈折率がランダムに分散した場合（電圧無印加状態）は散乱状態となる。
【００３０】
以下に、高分子分散型液晶素子１００が、再帰性反射スクリーン１１の投影面１１ａに積層された場合の動作を示す。
図９（ａ）に示すように、電圧無印加状態（散乱状態）では、例えば、図１に示すプロジェクタ１２からの入射光１１１は、高分子分散型液晶素子１００で散乱される。このとき、光１１１の一部は、前方散乱により、一旦、再帰性反射スクリーン１１のミラー面１１ｂに照射され、再帰反射される。しかしながら、その反射光１１２は、一旦、高分子分散型液晶素子１００で散乱され、元の入射光１１１とは異なる方位に変換されているため、プロジェクタ１２のレンズ（投影部）位置に集光されることない。したがって、反射光１１２は、広範囲に拡散されながら戻る。その結果、観察者は、レンズ（投影部）の近傍以外の位置においても、映像を視聴することができる。すなわち、図１に示す観察者２１、２２、２３は全て、同じ映像を視聴することができる。
一方、図９（ｂ）に示すように、電界印加状態では、高分子分散型液晶素子１００は非散乱状態（透明状態）であり、例えば、図１に示すプロジェクタ１２からの入射光１１１は、高分子分散型液晶素子１００で散乱されない。そのため、再帰性反射スクリーン１１のミラー面１１ｂに照射された入射光（映像）１１１の反射光１１２は、プロジェクタ１２のレンズ（投影部）位置に集光される。すなわち、図１に示す観察者２１の位置のみにおいて、プロジェクタ１２からの映像を視聴することができる。
【００３１】
図１０に示す高分子分散型液晶素子１２０は、液晶分子１２１とポリマー材料（高分子材料）１２２がネットワーク状に入り組んだ複合膜である。高分子分散型液晶素子１２０は、電界印加状態で散乱状態、電圧無印加状態で非散乱状態に切り替え可能な光学素子である。すなわち、液晶分子１２１は電界応答するので、散乱状態と非散乱状態を切り替えることが可能であり、高分子分散型液晶素子１２０は、屈折率が揃った場合（電圧無印加状態）は非散乱状態、屈折率がランダムに分散した場合（電界印加状態）は散乱状態となる。
【００３２】
以下に、高分子分散型液晶素子１２０が、再帰性反射スクリーン１１の投影面１１ａに積層された場合の動作を示す。
図１０（ａ）に示すように、電圧無印加状態では、高分子分散型液晶素子１２０は非散乱状態（透明状態）であり、例えば、図１に示すプロジェクタ１２からの入射光１３１は、高分子分散型液晶素子１２０で散乱されない。そのため、再帰性反射スクリーン１１のミラー面１１ｂに照射された入射光（映像）１３１の反射光１３２は、プロジェクタ１２のレンズ（投影部）位置に集光される。すなわち、図１に示す観察者２１の位置のみにおいて、プロジェクタ１２からの映像を視聴することができる。
一方、図１０（ｂ）に示すように、電界印加状態では、例えば、図１に示すプロジェクタ１２からの入射光１３１は、高分子分散型液晶素子１２０で散乱される。このとき、光１３１の一部は、前方散乱により、一旦、再帰性反射スクリーン１１のミラー面１１ｂに照射され、再帰反射される。しかしながら、その反射光１３２は、一旦、高分子分散型液晶素子１２０で散乱され、元の入射光１３１とは異なる方位に変換されているため、プロジェクタ１２のレンズ（投影部）位置に集光されることない。したがって、反射光１３２は、広範囲に拡散されながら戻る。その結果、観察者は、レンズ（投影部）の近傍以外の位置においても、映像を視聴することができる。すなわち、図１に示す観察者２１、２２、２３は全て、同じ映像を視聴することができる。
【００３３】
本実施形態では、再帰性反射スクリーン１１の投影面１１ａに積層された拡散制御体１６（液体レンズ５０、液晶レンズ６０，７０，８０，９０、高分子分散型液晶素子１００，１２０）に屈折率の異なる領域を形成することによって、拡散制御体１６において、その縦方向の上側の領域と下側の領域の拡散性を相違させる。
例えば、図１１に示すように、拡散制御体１６の屈折率を部分的に変化させて、再帰性反射スクリーン１１の投影面１１ａの下側の領域の一部に対応する位置に、光を拡散させない領域（非拡散領域）１１Ｂを形成する。これにより、拡散制御体１６には、光を拡散させる領域（拡散領域）１１Ａと非拡散領域１１Ｂが形成される。
【００３４】
ここで、例えば、プロジェクタ１２から、拡散領域１１Ａに主たる映像α１を投影するとともに、非拡散領域１１Ｂに字幕などの補助情報に関する映像β１を投影する。すると、観察者２１は、拡散領域１１Ａに投影され、拡散制御体１６によって、再帰性反射スクリーン１１の投影面１１ａの縦方向（上下方向）に拡散された映像α１と、非拡散領域１１Ｂに投影された映像β１とを見ることができる。非拡散領域１１Ｂに投影された映像β１は、再帰性反射スクリーン１１の投影面１１ａの縦方向（上下方向）に拡散されずに、プロジェクタ１２の位置に集光する。したがって、非拡散領域１１Ｂに投影された映像β１は、再帰性反射スクリーン１１の正面に居る観察者２１のみが見ることができる。すなわち、再帰性反射スクリーン１１に対して斜めの位置に居る観察者２２，２３は、非拡散領域１１Ｂに投影された映像β１を見ることができない。
【００３５】
観察者２２は、プロジェクタ１３から、拡散領域１１Ａに投影され、拡散制御体１６によって再帰性反射スクリーン１１の投影面１１ａの縦方向（上下方向）に拡散された映像γ１を見ることができる。
また、観察者２３は、プロジェクタ１４から、拡散領域１１Ａに投影され、拡散制御体１６によって、再帰性反射スクリーン１１の投影面１１ａの縦方向（上下方向）に拡散された映像δ１を見ることができる。
【００３６】
本実施形態の映像表示システム１０によれば、再帰性反射スクリーン１１の投影面１１ａの任意の位置に対応して、拡散制御体１６における画像の拡散範囲を任意に設定することができる。したがって、再帰性反射スクリーン１１の投影面１１ａの任意の位置において画像の拡散範囲を制御することができる。
【００３７】
なお、本実施形態では、拡散制御体１６の縦方向の上側の拡散領域１１Ａと下側の非拡散領域１１Ｂの拡散性を相違させた場合を例示したが、本発明はこれに限定されない。本発明にあっては、再帰性反射スクリーンの投影面の任意の位置に対応して、拡散制御体における画像の拡散範囲を任意に設定することができる。
【００３８】
（２）第２実施形態
本実施形態では、再帰性反射スクリーン１１の投影面１１ａに積層された拡散制御体１６（液体レンズ５０、液晶レンズ６０，７０，８０，９０、高分子分散型液晶素子１００，１２０）に屈折率の異なる領域を形成することによって、拡散制御体１６において、その四隅の１つ側に偏在するように形成された長方形状の領域とその他の領域の拡散性を相違させる。
例えば、図１２に示すように、拡散制御体１６の屈折率を部分的に変化させて、再帰性反射スクリーン１１の投影面１１ａの右上方の四隅側に対応する位置に、光を拡散させない非拡散領域１１Ｄを形成する。これにより、拡散制御体１６には、光を拡散させる拡散領域１１Ｃと、非拡散領域１１Ｄとが形成される。
【００３９】
ここで、例えば、プロジェクタ１２から、拡散領域１１Ｃに主たる映像α２を投影するとともに、非拡散領域１１Ｄに立体（３Ｄ）用の映像β２を投影する。すると、観察者２１は、拡散領域１１Ｃに投影され、拡散制御体１６によって、再帰性反射スクリーン１１の投影面１１ａの縦方向（上下方向）に拡散された映像α２と、非拡散領域１１Ｄに投影された映像β２とを見ることができる。プロジェクタ１２として、観察者２１の右目用のものと左目用のものを用いれば、観察者２１のみが立体化した映像β２を見ることができる。非拡散領域１１Ｄに投影された映像β２は、再帰性反射スクリーン１１の投影面１１ａの縦方向（上下方向）に拡散されないため、プロジェクタ１２の位置に集光する。したがって、非拡散領域１１Ｄに投影された映像β２は、再帰性反射スクリーン１１の正面に居る観察者２１のみが見ることができる。すなわち、再帰性反射スクリーン１１に対して斜めの位置に居る観察者２２，２３は、非拡散領域１１Ｂに投影された映像β２を見ることができない。
【００４０】
観察者２２は、プロジェクタ１３から、拡散領域１１Ｃに投影され、拡散制御体１６によって、再帰性反射スクリーン１１の投影面１１ａの縦方向（上下方向）に拡散された映像γ２を見ることができる。
また、観察者２３は、プロジェクタ１４から、拡散領域１１Ｃに投影され、拡散制御体１６によって、再帰性反射スクリーン１１の投影面１１ａの縦方向（上下方向）に拡散された映像δ２を見ることができる。
【００４１】
本実施形態の映像表示システム１０によれば、再帰性反射スクリーン１１の投影面１１ａの任意の位置に対応して、拡散制御体１６における画像の拡散範囲を任意に設定することができる。したがって、再帰性反射スクリー１１の投影面１１ａの任意の位置において画像の拡散範囲を制御することができる。
【産業上の利用可能性】
【００４２】
本発明は、投射型の映像表示システムの分野に利用することができる。
【符号の説明】
【００４３】
１０・・・映像表示システム
１１・・・再帰性反射スクリーン
１２，１３，１４・・・プロジェクタ
１５・・・ハーフミラー
１６・・・拡散制御体
５０・・・液体レンズ
６０，７０，８０，９０・・・液晶レンズ
１００，１２０・・・高分子分散型液晶素子
【図１】
2014139594.tif 000003
【図２】
2014139594.tif 000004
【図３】
2014139594.tif 000005
【図４】
2014139594.tif 000006
【図５】
2014139594.tif 000007
【図６】
2014139594.tif 000008
【図７】
2014139594.tif 000009
【図８】
2014139594.tif 000010
【図９】
2014139594.tif 000011
【図１０】
2014139594.tif 000012
【図１１】
2014139594.tif 000013
【図１２】
2014139594.tif 000014